(57)【特許請求の範囲】
【請求項１】
流体との接触による熱交換によって蓄熱及び放熱が自在な蓄熱体及び一対の送風給排口を有した蓄熱槽と、空調装置と、前記空調装置の送風出口と前記蓄熱槽における一方の送風給排口とを連通接続する第１流路と、前記空調装置の送風入口と前記蓄熱槽の他方の送風給排口とを連通接続する第２流路と、前記第１流路と空調対象とを連通接続する第３流路と、前記第２流路と前記空調対象とを連通接続する第４流路とを設け、
前記第３流路においては前記第１流路から前記空調対象に向かう方向の送風を生じさせる送風手段を、前記第３流路又は前記第４流路に設けるとともに、前記蓄熱槽における前記一対の送風給排口の夫々に温度検出手段を設け、
前記空調装置で前記空調対象にのみ空調風を供給する空調モードと、前記空調装置から出た空調風を前記第１流路を介して前記蓄熱槽に供給し、かつ、前記蓄熱槽からの排風を前記第２流路を介して前記空調装置に戻すことで前記蓄熱槽に蓄熱させる蓄熱モードと、前記蓄熱槽に貯えられた熱を前記第１流路及び前記第３流路を介して前記空調対象に供給し、かつ、前記空調対象からの排風を前記第４流路及び前記第２流路を介して前記空調装置に戻すことで前記空調対象を空調する放熱モードと、を択一的に選択するための経路切換機構を設け、
前記蓄熱モードのときに、前記他方の送風給排口側端配備された第２温度検出手段の検出値が第２所定温度に達すると前記空調装置を停止させ、前記放熱モードのときに、前記一方の送風給排口側端に配備された第１温度検出手段の検出値が第１所定温度に達すると前記空調モードに切換えるか又は前記送風手段を停止させるように、前記空調装置と前記経路切換機構と前記送風手段とを連係させる空調制御手段を設けてある蓄熱空調設備。
【発明の詳細な説明】
【０００１】
【発明の属する技術分野】
本発明は、流体との接触による熱交換によって蓄熱及び放熱が自在な蓄熱体及び一対の送風給排口を有した蓄熱槽と、空調装置とを備えた蓄熱空調設備に関するものである。
【０００２】
【従来の技術】
空調装置と蓄熱槽とを備えた蓄熱空調設備としては、従来では、特開２００１−１９３９７１号公報に示されたものが知られている。これは、空調装置で空調対象である室内を空調（暖房又は冷房）する空調モードと、空調装置で蓄熱槽に蓄熱させる蓄熱モードと、蓄熱槽に貯えられた熱によって空調対象を空調する放熱モードとが切換えられるように構成してあるとともに、それら各モードを時間帯によって使い分ける制御手段を設けていた。なお、以下に示すカッコ付きの符号は、前述の公報のものを示す。
【０００３】
すなわち、給排ダクト（１１Ａ，１１Ｂ）を介して蓄熱槽（２）と空調装置（１０）と室内（３）とを直列に接続するとともに、蓄熱槽と空調装置との間の経路と戻りダクトとを接続するバイパス路（６）、及び、空調装置の送風出口と蓄熱槽の送風入口とを接続する蓄熱用循環路（１４）、並びに流路切換弁（７）、第１切換弁（１２）、第２切換弁（１５）を設けて蓄熱空調設備を構成してある。
【０００４】
空調モードは、バイパス路（６）が開かれる位置に流路切換弁（７）を切換え、第１切換弁（１２）を開き、かつ、第２切換弁（１５）を閉じ操作した状態で空調装置を空調作動することで得られる。蓄熱モードは、バイパス路（６）が閉じられる位置に流路切換弁（７）を切換え、第１切換弁（１２）を閉じ、かつ、第２切換弁（１５）を開弁状態で空調装置を空調作動することで得られる。そして、放熱モードは、バイパス路（６）が閉じられる位置に流路切換弁（７）を切換え、第１切換弁（１２）を開き、かつ、第２切換弁（１５）を閉じ操作するとともに、空調装置を単なる送風機として運転（ファン１０のみ回転させる）することで得られる。
【０００５】
例えば、冷房の場合について説明すると、比較的電力消費の少ない午前中は空調装置を冷房作動させて室内を直接冷房する空調モードで運転し、電力需要の大となる午後は蓄熱槽に貯えられている冷熱で冷房する放熱モードで運転し、電力料金の安い夜間には空調装置で蓄熱槽を冷房する蓄熱モードで運転する、という具合に時間帯によって運転モードを切換えるように設定されていた。これにより、電力料金の安い深夜に蓄熱させることで空調コストの低減を図るとともに、その深夜蓄熱によって電力需要が夏場の午後に集中するのを避けること、所謂ピークカットが行えるので、発電設備を徒に大型化しなくても済むことに寄与できる利点がある。
【０００６】
しかしながら、空調対象に関して空調装置と蓄熱槽とを直列に接続する直列型蓄熱空調設備では、前述のように、基本の経路（１１）の他にバイパス路（６）と蓄熱用循環路（１４）が必要であり、しかも、それら各経路を流れる風を切換えるために３組の切換弁（７，１２，１５）が必要となるものであり、構造が複雑化するとともにそれらの制御作動も複雑化する点では不利なものであった。そこで、構造や制御装置をシンプル化しながら、蓄熱モード、放熱モード、蓄熱モードの各運転が円滑に行えるよう、空調対象に対して、空調装置と蓄熱槽とを並列に接続する並列型蓄熱空調設備が提案された。
【０００７】
【発明が解決しようとする課題】
並列型蓄熱空調設備の原理は、図２０に示すようなものである。すなわち、蓄熱槽１と空調装置２とを第１経路Ｗ１と第２経路Ｗ２とを用いて並列接続し、空調装置２の出力側である第１経路Ｗ１と空調対象Ｒとを第３経路Ｗ３を介して接続するとともに、空調装置２の戻り側である第２経路Ｗ２と空調対象Ｒとを第４経路Ｗ４を介して接続する。そして、第２経路Ｗ２における第３経路Ｗ３との分岐箇所に経路切換機構１５を設ける。
【０００８】
空調モードは、経路切換機構１５を操作して、第１経路Ｗ１における空調装置２側の空調側部分３６と第３経路Ｗ３とのみを開通させた状態（蓄熱側部分３７は閉じられている）で、空調装置２を空調作動させることで得られる。空調装置２から出た空調風は、空調側部分３６、第３経路Ｗ３、空調対象Ｒ、第４経路Ｗ４を通って空調装置２に戻る循環経路が形成される。
【０００９】
蓄熱モードは、経路切換機構１５を操作して、第１経路Ｗ１における蓄熱槽１側の蓄熱側部分３７と空調側部分３６とのみを開通させた状態（第３経路Ｗ３は閉じられている）で、空調装置２を空調作動させることで得られる。空調装置２から出た空調風は、第１経路Ｗ１、蓄熱槽１、第２経路Ｗ２を通って空調装置２に戻る循環経路が形成される。
【００１０】
放熱モードは、経路切換機構１５を操作して、第１経路Ｗ１における蓄熱槽１側の蓄熱側部分３７と第３経路Ｗ３とのみを開通させた状態（空調側部分３６は閉じられている）で、第３経路Ｗ３に設けた送風ファン２４を作動させることで得られる。送風ファン２４の作動によって、第３経路Ｗ３、空調対象Ｒ、第４経路Ｗ４、第２経路Ｗ２、蓄熱槽１、経路切換機構１５を風が流れるので、蓄熱槽１の蓄熱によって空調対象Ｒを空調する循環経路が形成される。
【００１１】
ところが、この並列型蓄熱空調設備においては、新たな問題の生じることが分かってきた。すなわち、図２０において、蓄熱モードでは蓄熱槽１に矢印ａの方向で風が流れるのに対して、放熱モードでは矢印ｂの方向に風が流れるといった具合に、運転モードによって蓄熱槽１を流れる風の向きが反対になってしまうのである。従って、前述の公報に示されたように、蓄熱槽に単一の温度センサを設ける構成では、次のような不都合が生じる。
【００１２】
蓄熱モードでは、空調風が蓄熱槽１に、その一端１ａ（第１経路Ｗ１側）から供給されるので、他端１ｂ側ほど遅れて空調風が到達するように時間差が付くようになる。故に、蓄熱槽全体が所望の蓄熱状態になったか否かを検知するための温度センサを１個のみ設ける場合では、送風出口側となる他端１ｂ付近に配置するのが望ましい。一方、放熱モードでは、風の入口となる前記他端１ｂ側から放熱されてゆき、風の出口となる前記一端１ａ側ほど遅れて放熱されるように時間差が付くから、蓄熱槽全体が所望の放熱状態になったか否かを検知するための温度センサを１個のみ設ける場合では、送風出口側となる前記一端１ａ付近に配置するのが望ましい。
【００１３】
従って、温度センサを蓄熱モードに適した位置に設けると、放熱モード時には正確な検出作動が期待できないとともに、放熱モードに適した位置に設けると、蓄熱モード時には正確な検出作動が期待できないという、不都合が生じるものであり、更なる改善の余地があるように思える。
【００１４】
本発明の目的は、前述のような新たな問題が無いようにしながら、構造及び制御のシンプル化が図れる並列型蓄熱空調設備を実現させる点にある。
【００１５】
【課題を解決するための手段】
〔構成〕
請求項１の構成は、蓄熱空調設備において、空調装置と、流体との接触によ屡熱交換によって蓄熱及び放熱が自在な蓄熱体及び一対の送風給排口とを有した蓄熱槽と、空調装置の送風出口と蓄熱槽における一方の送風給排口とを連通接続する第１流路と、空調装置の送風入口と蓄熱槽の他方の送風給排口とを連通接続する第２流路と、第１流路と空調対象とを連通接続する第３流路と、第２流路と空調対象とを連通接続する第４流路とを設け、
第３流路においては第１流路から空調対象に向かう方向の送風を生じさせる送風手段を、第３流路又は第４流路に設けるとともに、蓄熱槽における一対の送風給排口の夫々に温度検出手段を設け、
空調装置で空調対象にのみ空調風を供給する空調モードと、空調装置から出た空調風を第１流路を介して蓄熱槽に供給し、かつ、蓄熱槽からの排風を第２流路を介して空調装置に戻すことで蓄熱槽に蓄熱させる蓄熱モードと、蓄熱槽に貯えられた熱を第１流路及び第３流路を介して空調対象に供給し、かつ、空調対象からの排風を第４流路及び第２流路を介して空調装置に戻すことで空調対象を空調する放熱モードと、を択一的に選択するための経路切換機構を設け、
蓄熱モードのときに、他方の送風給排口側端配備された第２温度検出手段の検出値が第２所定温度に達すると空調装置を停止させ、放熱モードのときに、一方の送風給排口側端に配備された第１温度検出手段の検出値が第１所定温度に達すると空調モードに切換えるか又は送風手段を停止させるように、空調装置と経路切換機構と送風手段とを連係させる空調制御手段を設けてあることを特徴とする。
【００１６】
〔作用〕
請求項１の構成によれば、詳しくは実施形態の項にて説明するが、次のような作用を得ることができる。すなわち、空調対象に関して空調装置と蓄熱槽とは、第１〜第４流路を用いることで並列に連通接続されているので、空調装置及び蓄熱槽のいずれもが単独で空調対象と連通接続できうる状態になっている。故に、第３流路においては第１流路から空調対象に向かう方向の送風を生じさせる送風手段、すなわち、吹き出し方向が一定で良い単純構造の送風手段と、蓄熱モードと放熱モードと空調モードとを択一的に切換える経路切換機構とを付加するだけで良く、従来の直列接続構造の蓄熱空調設備に比べて、構造の単純化が可能になる。また、操作すべき対象が経路切換機構と送風手段で済むので、３個のダンパを組み合わせて開閉する従来のものに比べて、制御構造を単純化することも可能になる。
【００１７】
まず、蓄熱モードでは、蓄熱槽においては一方の送風給排口から他方の送風給排口に風が流れる状態になり、一方の送風給排口から蓄熱体に蓄熱されて行き、他方の送風給排口側の蓄熱体が最後に蓄熱されることになるから、他方の送風給排口側端の蓄熱体（最後に蓄熱される蓄熱体）が所定温度に蓄熱されておれば、蓄熱槽全体が所定温度に蓄熱されたと見なして差し支えないことになる。
【００１８】
故に、蓄熱モードでは蓄熱槽における送風下手側端に配置されて、最も遅れて知苦熱されることになる蓄熱体の温度を検出する第２温度検出手段の検出値が第２所定温度に達すると空調装置を停止させるように制御するので、蓄熱槽全体を少なくとも所定温度（第２所定温度）には蓄熱させることができるようになる。例えば、冷熱蓄熱させる場合の第２所定温度えお１８℃とすれば、第２温度検出手段が検出作動したときには、温度分布としては最も高くなる他方の送風給排口側端の蓄熱体温度が１８℃であり、蓄熱体が、例えば顕熱蓄熱材の場合は、そこから一方の送風給排口側に近づくに連れて蓄熱体の温度は下がって行く温度状態になる。
【００１９】
次に、放熱モードでは、蓄熱槽においては他方の送風給排口から一方の送風給排口に風が流れる状態になり、他方の送風給排口側から蓄熱体に蓄えられている熱が取り出されて、すなわち放熱されてゆき、一方の送風給排口側の蓄熱体が最後に放熱されることになるから、一方の送風給排口側端の蓄熱体（最後に放熱される蓄熱体）が所定温度になれば、蓄熱槽全体が放熱されて所定温度に達したと見なして差し支えないことになる。
【００２０】
故に、放熱モードでは、蓄熱槽における送風下手側端に配置されて、最も遅れて放熱されることになる蓄熱体の温度を検出する第１温度検出手段の検出値が第１所定温度に達すると、空調モードに切換えるか又は送風手段を停止させるように制御するので、蓄熱槽全体が少なくとも所定温度（第１所定温度）となるように放熱させられるようになる。例えば、蓄えられている冷熱を放熱させる場合の第１所定温度を２３℃とすれば、第１温度検出手段が検出作動したときには、蓄熱体が、例えば顕熱蓄熱材の場合は、温度分布としては最も低くなる一方の送風給排口側端の蓄熱体温度が２３℃であり、そこから他方の送風給排口側に近づくに連れて蓄熱体の温度は上がって行く温度状態になる。
【００２１】
尚、空調モードでは、風は蓄熱槽には流れないので、２個の温度検出手段のうちのいずれを使うかに関しては制御せずに済む。
【００２２】
〔効果〕
その結果、請求項１に記載の蓄熱空調設備では、空調装置と蓄熱槽とを空調対象に関して並列に連通接続させる基本的な考えにより、設備構造や制御をシンプル化しながら蓄熱モード、放熱モード、空調モードの各運転モードが行えるとともに、蓄熱槽全体を所望の温度状態に確実に設定できて、より効率的に用いることができる合理的なものとして提供できるに至った。
【００２３】
【発明の実施の形態】
以下、本発明の実施の形態を図面に基づいて説明する。
図１、図１８に蓄熱空調設備の概略図が示されている。図１と図１８とは実質同じものであり、風の流れ構造を理解し易くするために、図１のものをブロック図化したものが図１８である。
【００２４】
蓄熱空調設備Ａは、空気（流体の一例）との接触による熱交換によって蓄熱及び放熱が自在な蓄熱体Ｃを多数有し、かつ、一対の送風給排口１ａ，１ｂを備えた蓄熱槽１と、送風出口２ａと送風入口２ｂとを有した空調装置（室内機）２とを有し、空調装置２の送風出口２ａと蓄熱槽１の第１給排口（一方の送風給排口の一例）１ａとを連通接続する第１流路Ｗ１と、空調装置２の送風入口２ｂと蓄熱槽１の第２給排口（他方の送風給排口の一例）１ｂとを連通接続する第２流路Ｗ２と、第１流路Ｗ１と空調対象Ｒ，Ｒｕとを連通接続する第３流路Ｗ３と、第２流路Ｗ２と空調対象Ｒ，Ｒｕとを連通接続する第４流路Ｗ４とを設けて構成されている。
【００２５】
蓄熱槽２は、セメントや石等を主成分とする板材や、合成樹脂材から成る板材といった顕熱を用いた蓄熱体Ｃを、箱体４内において前後左右並びに上下複数段に積層することで多数装備した構造のものであり、送風出口５側の空間部６、及び送風取込み口７側の空間部８を有している。尚、蓄熱体Ｃとしては、潜熱を利用した蓄熱材を内装した蓄熱カプセルであっても良い。次に、蓄熱空調設備Ａについて詳細に説明する。
【００２６】
図１〜図３及び図８に、蓄熱空調設備Ａを備えた２階建て住宅Ｈの上部を示してある。図１〜図５に示すように、蓄熱空調設備Ａは、蓄熱槽１、室内機（空調装置の一例）２、及びこれら蓄熱槽１と空調装置２とを覆って種々の運転モードの設定を可能とするための給排ダクト体１２等から構成されている。この蓄熱空調設備Ａには、１階及び２階の各部屋ｒ１１〜ｒ２４に連通接続される複数の個別ダクトＤが接続されており、各部屋ｒ１１〜ｒ２４毎に空調風が送られるように構成されている。
【００２７】
２階の第１部屋ｒ２１には、住宅としての最外壁側に奥行きが半畳分の一般的な押入れ４が形成されており、その押入れ４内における壁に沿わせて縦長形状の蓄熱槽１を配置してある。蓄熱槽１は、押入れ４の奥行きの約半分の前後幅を有した槽カバー体５に内装されており、槽カバー体５の下端部には複数の１階用個別ダクト７（第３流路Ｗ３の一例）に対する１階用接続部８が形成され、その上側にはエア吸込み用の戻り口９（第４流路Ｗ４の一例）が形成されるとともに、その上に蓄熱槽１が配置されている。
【００２８】
２階の天井裏空間Ｔに配置される槽カバー体５の上端部と、室内機２を内装した空調カバー体１１とは、供給ダクト部１２Ａ（内部に第１流路Ｗ１が形成）と戻りダクト部１２Ｂ（内部に第２流路Ｗ２が形成）とから成る長さの短い給排ダクト体１２を介して接続されており、戻りダクト部１２Ｂには、これを開閉自在な弁としての開閉ダンパ１３（経路切換機構の一例）が装備されている。又、空調カバー体１１における給排ダクト体１２接続側と反対側の端部には、複数の２階用個別ダクト１４（第３流路Ｗ３の一例）に対する２階用接続部１５が形成されている。次に、各部の構造を詳細説明する。
【００２９】
槽カバー体５内には、蓄熱槽１の一側に位置した状態で下端が戻り口９に、かつ、上端が戻りダクト部１２Ｂに夫々連通した上下向きの戻り路１６と、蓄熱槽１の他側に位置した状態で下端が１階用接続部８に、かつ、上端が供給ダクト部１２Ａに夫々連通した上下向きの供給路１７が形成されている。戻り口９は、押入れ４に隣合う廊下２５等の共通空間に開口する空間部であり、その開口部９ａにはフィルター１８が装備されている。又、図１、図５に示すように、戻り口９には蓄熱槽１のドレンパイプ１９が配策されている。
【００３０】
空調カバー体１１は矩形箱状であり、その内部における上部で、かつ、やや戻りダクト部１２Ｂ側に偏った位置に室内機２が据付けられている。室内機２は、戻りダクト部１２Ｂ側の底面に吸気口２ａを、そして、供給ダクト部１２Ａ側の側面に吐出口２ｂを夫々備えており、吐出口２ｂに面した送風吐出路ｓｔに続いており、かつ、室内機２の給排ダクト体１２と反対側に膨出させた空間部が２階用接続部１５として機能するように構成されている。又、戻りダクト部１２Ｂに続き、かつ、吸気口２ａに面した送風吸込み路ｓｓと２階用接続部１５とは、遮断壁３５によって区切られている。
【００３１】
開閉ダンパ１３は、断面矩形形状の戻りダクト部１２Ｂの内面にフィット可能な大きさを有した矩形形状の弁体２０と、これを横向きの支点軸２１回りに駆動回動させるべく給排ダクト体１２の外側に設けられたモータ部２２とから構成されている。平板状の弁体２０を回動させて水平姿勢（図１参照）にすると、戻りダクト部１２Ｂが全開となる開通状態が得られ、弁体２０を回動させて垂直姿勢（図１１参照）にすると、戻りダクト部１２Ｂが全閉となる遮断状態が得られる。
【００３２】
図２、図３、図６、図７に示すように、各個別ダクト７，１４の根元側端には、開閉弁２３と電動ファン２４とから成る送風ユニット１０（送風手段の一例）が装備されている。即ち、送風ユニット１０は、個別ダクト７，１４に接続される絞りダクト部２６と、筒フレーム２７と、長さの短い筒ダクト２８と、筒ダクト２８の開口を開閉するべく支点ｐで揺動自在な開閉扉２９と、基板３１に装備された開閉機構３０とを設けて構成されており、開閉弁２３が１階用接続部８( 又は２階用接続部１５）内に位置するよう、基板３１を１階用接続部８( 又は２階用接続部１５）の内壁に宛がった状態で固定してある。
【００３３】
蓄熱槽１は、上下長さが左右長さよりも明確に長く、かつ、厚みの薄い蓄熱体Ｃを前後に多数枚並べた蓄熱体列を左右に４列並べて成る蓄熱体群Ｇを、枠体６に上下複数段（５段）積層して成るものであり、熱交換用流体である空気（風）が図２において矢印イ方向、即ち左右方向に通る状態に構成されている。
【００３４】
つまり、蓄熱槽１における第１及び第２給排口１ａ，１ｂの夫々に温度センサ（温度検出手段の一例）を設け、空調装置２で各部屋ｒ１１〜ｒ２４にのみ空調風を供給する空調モードと、空調装置２から出た空調風を供給ダクト部１２Ａを介して蓄熱槽１に供給し、かつ、蓄熱槽１からの排風を戻りダクト部１２Ｂを介して空調装置２に戻すことで蓄熱槽１に蓄熱させる蓄熱モードと、蓄熱槽１に貯えられた熱を供給ダクト部１２Ａ及び１階用個別ダクト７や２階用個別ダクト１４を介して各部屋ｒ１１〜ｒ２４に供給し、かつ、各部屋ｒ１１〜ｒ２４からの排風を第４流路Ｗ４及び戻りダクト部１２Ｂを介して空調装置２に戻すことで各部屋ｒ１１〜ｒ２４を空調する放熱モードと、を択一的に選択するための経路切換機構１３を設けてある。
【００３５】
これにより、蓄熱モードのときに、第２給排口１ｂ側端に配備された第２温度センサＳ２の検出値が第２所定温度に達すると空調装置２を停止させ、放熱モードのときに、第１給排口１ａ側端に配備された第１温度センサＳ１の検出値が第１所定温度に達すると空調モードに切換えるか又は送風ユニット１０を停止させるように、空調装置２と開閉ダンパ１３の駆動機構４２と各送風ユニット１０とを連係させる制御装置４１（空調制御手段の一例）を設けてある。
【００３６】
図２に示すように、空気戻し部９には、空調装置に戻って行く空気中の雑菌を除去する除菌手段３２が装備されている。除菌手段３２は、吸込み口９Ａに向かって倒れ傾斜する斜交い状に配置された多孔状（又は網状）で、かつ、ＴｉＯ２等の光触媒が装備された板状体３３と、この板状体３３に対する紫外線ランプ３４とで構成されている。つまり、吸込み口９Ａから吸込まれた空気は必ず板状体３３を通過して行くことになり、その際に紫外線ランプ３４と光触媒との協働による除菌作用を受けるのである。
【００３７】
図８に、住宅Ｈの２階平面図が模式的に示されている。蓄熱空調設備Ａは、第１部屋ｒ２１における廊下２５側の押入れ４の内奥で廊下２５側に寄せて配置されており、空気戻し部９における吸込み口９Ａ、即ちフィルター１８は、廊下２５に開口する状態に配置構成してある。つまり、吸込み口９Ａは、各階の廊下、階段、吹き抜け部分、玄関、納戸、踊り場、屋根裏収納部等の居住空間（普段に居住する居室や頻繁に出入りする場所の総称であり、便所、風呂場、洗面所等を含む）Ｒ，Ｒｕ以外の部分に設けるのである。
【００３８】
これにより、各部屋ｒ２１〜ｒ２４からの空調排風は必ず２階廊下２５に面したフィルター１８に集合することになり、ごみやほこりの掃除やフィルター交換等のメンテナンスは、住宅における共通空間である廊下２５から各部屋を気にすること無く行うことができる。次に、蓄熱空調設備Ａによって実現できる各種運転モードについて説明する。
【００３９】
▲１▼  蓄熱モード：図９に示すように、開閉ダンパ１３を開き、かつ、いずれの送風ユニット１０も停止（開閉弁２３が閉じ、電動ファン２４が停止）している状態（全ての個別ダクト７，１４への流路が断絶されている状態）において、室内機２を冷房作動（又は暖房作動）させると、室内機２からの吐出風は、供給路１７を通って蓄熱槽１を通り、戻り路１６を通って室内機２に戻る循環作動状態が得られる。これにより、値段の安い深夜料金となる夜間に、蓄熱槽１に冷熱（又は温熱）を蓄熱させることができる。
【００４０】
▲２▼  空調モード：図１０に示すように、開閉ダンパ１３を開き、かつ、いずれかの送風ユニット１０が駆動（開閉弁２３が開き、電動ファン２４が駆動）されている状態で、室内機２を冷房作動（又は暖房作動）させると、室内機２からの吐出風が、２階用接続部１５から２階の個別ダクト１４、又は供給ダクト部１２Ａ及び供給路１７から１階用接続部８通って１階用の個別ダクト７に供給されて行く。このモードは、各部屋の単位時間当たりの総要求風量と、室内機２の単位時間当たりの吐出風量とが一致している条件のときに生じるもの（蓄熱槽１には送風されないようになるから）であり、室内機２へは、戻し口９から吸込まれた空気が、戻り路１６及び戻りダクト部１２Ｂを通って供給される。
【００４１】
▲３▼  放熱モード：図１１に示すように、開閉ダンパ１３を閉じ、かつ、室内機２を停止させた状態で、いずれかの送風ユニット１０が駆動されるモードであり、戻し口９から吸込まれた空気が蓄熱槽１を通って冷され（又は暖められ）てから供給路１７を通り、１階用接続部８から１階用の個別ダクト７へ送風されるか、又は供給ダクト部１２Ａと２階用接続部１５を通って２階の個別ダクト１４へ送風されて行くかする。この場合には、蓄熱空調設備Ａとしての駆動源は、送風ユニット１０によって賄われる状態となる。
【００４２】
▲４▼  蓄熱空調モード：図１２に示すように、これは前記▲２▼空調モードにおいて、個別ダクト７，１４による単位時間当たりの要求送風量の総計よりも、室内機２の単位時間当たりの吐出風量が大であるときに生じるモードであり、室内機２の吐出風がいずれかの個別ダクト７，１４に供給されるとともに、その分が差し引かれた余剰風が蓄熱槽１を通過し、戻り路１６等を通って吸気口２ａに戻ると言う具合に、一部が循環作動状態になる。このとき、個別ダクト７，１４に向かう分の空気は戻し口９から吸込まれる。
【００４３】
▲５▼  放熱空調モード：図１３に示すように、これは前記▲２▼空調モードにおいて、個別ダクト７，１４による単位時間当たりの要求送風量の総計が、室内機２の単位時間当たりの吐出風量を上回るときに生じるモードであり、室内機２の吐出風の全てが個別ダクト７，１４に供給されるとともに、足りない分は戻し口９から吸込まれて戻り路１６を介して蓄熱槽１を通り、冷房（又は暖房）されてから個別ダクト７，１４に供給されるようになる。
【００４４】
この放熱空調モードにおいては、室内機２と１階用接続部８との間に蓄熱槽１が存在する構造上、各階の要求送風量と室内機２の吐出風量との関係により、種々の送風状態が現れる。即ち、１階の要求風量をｆ１、２階の要求風量をｆ２、室内機２の吐出風量をＦ、蓄熱槽１から供給される放熱風量をｆ３とすると、風量に関する前提条件は
ｆ１＋ｆ２＝Ｆ＋ｆ３……（イ）
ｆ１＋ｆ２＜２Ｆ……（ロ）
ｆ３＞０（ｆ１＋ｆ２＞Ｆ）……（ハ）
であるとする。
【００４５】
ｉ．  Ｆ＞ｆ１，Ｆ＞ｆ２であるときには、室内機２の吐出風は各接続部８，１５に流れるとともに、蓄熱槽１からの供給風量ｆ３は全て１階用接続部８に流れる（図１３に示す状態）。この場合、室内機２から１階用接続部８に流れる風があるので、吸引風となる蓄熱槽１から２階用接続部１５に風が流れることはない。従って、２階用接続部１５には室内機２による空調風のみが供給される。
【００４６】
ｉｉ．  Ｆ≦ｆ１，Ｆ＞ｆ２であるときには、前記ｉの場合と同様であり、室内機２から２階用接続部１５に吐出風量ｆ２が供給され、残りの吐出風量Ｆ−ｆ２と、蓄熱槽１の放熱風量ｆ３とが１階用接続部８に流れる（図１４参照）。
【００４７】
ｉｉｉ．  Ｆ＞ｆ１，Ｆ＝ｆ２であるときには、室内機２の吐出風量Ｆが全て２階用接続部１５に流れ、１階用接続部８には放熱風量ｆ３のみが供給される（図１５参照）。
【００４８】
ｉｖ．  Ｆ＞ｆ１，Ｆ＜ｆ２であるときには、室内機２の吐出風量Ｆの全てと、蓄熱槽１からｆ２−Ｆ相当分の放熱風量が２階用接続部１５に供給され、１階用接続部８には蓄熱槽１からの送風のみが供給される（図１６参照）。
【００４９】
このように、１階と２階との双方を空調する場合では、２階には必ず室内機２の吐出風が供給され、それでは風量が足りないときにのみ蓄熱槽１の放熱風が供給されるのに対して、１階には、２階への供給風が除かれた室内機２の余剰吐出風と、蓄熱槽１の放熱風との双方、又は蓄熱槽１の放熱風のみが供給されるようになる。つまり、この蓄熱空調設備Ａは、室内機２による空調風が１階よりも２階に優先して供給されるようになっている。
【００５０】
例えば、夏に放熱空調モードで冷房し、かつ、１階と２階夫々の要求風量が同じである場合、夜間の蓄熱モード運転によって蓄熱槽１が十分に冷熱が蓄熱されているとき（午前中等）は、１階と２階とに冷房の差は殆ど生じないが、午後や夕方等の、蓄熱槽１の冷熱が足りなくなって十分な放熱作用が機能できなくなってくると、１階には室内機２による冷風と蓄熱槽１の放熱風との双方が供給されるに対して、２階には室内機２の冷風のみが供給されることによって十分な冷房が維持できるのであり、この点で２階の冷房が優先されているのである。
【００５１】
図１８、図１９、図２０に示すように、本蓄熱空調設備Ａでは、蓄熱槽１に装備された一対の温度センサＳ１，Ｓ２の検出情報に基づいて室内機２の作動状態を変更設定する温度制御回路Ｆを備えている。即ち、前述の第１及び第２温度センサＳ１，Ｓ２、インバーター型に構成された室内機２、及びタイマー４０を、制御装置４１に接続して温度制御回路Ｆを構成してある。蓄熱槽１は、十分に蓄熱されているときには、両センサＳ１，Ｓ２は互いに同じ温度（例えば１８℃）になっている。この温度制御回路Ｆでは、タイマー４０によって、昼間時に行われる昼間制御状態と夜間時に行われる夜間制御状態とに分けて制御作動するように設定されている。
【００５２】
昼間制御状態では、第１温度センサＳ１のみが使用されるものであり、第１温度センサＳ１の検出温度が所定温度（１８℃）以下であるときには室内機２は停止状態が維持されている。そして、放熱によって蓄熱槽１の冷熱が奪われていって、第１所定温度（１８℃）を越えると、室内機２が冷房作動し始め、第１所定温度と検出温度との差が大きくなるに従って室内機２の出力が大になるように制御装置４１が機能するのである。
【００５３】
つまり、夏の酷暑日等において、蓄熱槽１が放冷して出口側の蓄熱カプセルＣが潜熱温度を越える迄になると、室内機２が微出力で冷房作動され始め、不足分を補うようになる。そして、蓄熱槽１の不足分が次第に大きくなると、即ち第１温度センサＳ１の検出温度が次第に高くなると、室内機２の冷房出力が大きくなって行き、全体として要求冷房能力を満たせるように制御装置４１によって制御されるのである。
【００５４】
そして、夜間になるとタイマー４０によって使用する温度センサが第１温度センサＳ１から第２温度センサＳ２に切換わるとともに室内機２が作動して、前述の蓄熱モードによって運転され、安い深夜電力料金によって蓄熱槽１に冷熱を蓄熱するように制御される。この場合には、最も遅く冷されることになる第２温度センサＳ２が第２所定温度（１８℃）になるまで室内機２が駆動され、第２所定温度に達したら、蓄熱槽１が限度まで冷熱が蓄熱されたことであるから、室内機２が停止されるように制御装置４１が機能するのである。
【００５５】
〔別実施形態〕
《１》  前述の実施形態では、第１所定温度と第２所定温度とは同じ温度（１８℃）であったが、１８℃と２０℃といった具合に互いに異なる温度に設定しても良い。
【００５６】
《２》  前述の実施形態では、蓄熱モードであるか放熱モードであるかの判断手段として、タイマー４０を用いることで時間によって使い分ける間接的手段としたが、各流路Ｗ１〜Ｗ４での風向を検出する手段を設けて、実際の風の流れ方向を検出して蓄熱モードか放熱モードかを判断する、という手段を採ることも可能である。
【図面の簡単な説明】
【図１】蓄熱空調設備を示す住宅の一部切欠き側面図
【図２】図１に示す蓄熱空調設備の一部切欠き正面図
【図３】図１に示す蓄熱空調設備の一部切欠き平面図
【図４】蓄熱槽部分の横断面図
【図５】戻し口部分の横断面図
【図６】１階用接続部を示す横断面図
【図７】送風ユニットの構造を示す側面図
【図８】２階の間取りを示す平面図
【図９】蓄熱モードを示す蓄熱空調設備の模式図
【図１０】空調モードを示す蓄熱空調設備の模式図
【図１１】放熱モードを示す蓄熱空調設備の模式図
【図１２】蓄熱空調モードを示す蓄熱空調設備の模式図
【図１３】放熱空調モードを示す蓄熱空調設備の模式図
【図１４】放熱空調モードにおける第１風量関係状態を示す模式図
【図１５】放熱空調モードにおける第２風量関係状態を示す模式図
【図１６】放熱空調モードにおける第３風量関係状態を示す模式図
【図１７】空調装置の吐出路に可変分配弁を設けた蓄熱空調設備の模式図
【図１８】蓄熱空調設備の構造を示す系統図
【図１９】図１８に示す蓄熱空調設備の制御ブロック図
【図２０】蓄熱空調設備の基本概念を示す系統図
【符号の説明】
１              蓄熱槽
１ａ            一方の送風給排口
１ｂ            他方の送風給排口
２              空調装置
２ａ            送風出口
２ｂ            送風入口
１０            送風手段
１３            経路切換機構
Ｒ              空調対象
Ｓ１            第１温度検出手段
Ｓ２            第２温度検出手段
Ｗ１〜Ｗ４      第１〜第４流路
【図１】
0003969479.tif 000002
【図２】
0003969479.tif 000003
【図３】
0003969479.tif 000004
【図４】
0003969479.tif 000005
【図５】
0003969479.tif 000006
【図６】
0003969479.tif 000007
【図７】
0003969479.tif 000008
【図８】
0003969479.tif 000009
【図９】
0003969479.tif 000010
【図１０】
0003969479.tif 000011
【図１１】
0003969479.tif 000012
【図１２】
0003969479.tif 000013
【図１３】
0003969479.tif 000014
【図１４】
0003969479.tif 000015
【図１５】
0003969479.tif 000016
【図１６】
0003969479.tif 000017
【図１７】
0003969479.tif 000018
【図１８】
0003969479.tif 000019
【図１９】
0003969479.tif 000020
【図２０】
0003969479.tif 000021